(57)【要約】【課題】  ラドンミストを一般家庭で一般使用者が容易に使用できるラドンミスト岩盤浴ベッドを提供する。【解決手段】  遠赤外線の放出、更には微量のアルファ−線、ベータ線、ガンマ線を含む放射線の放射が認められる自然界の鉱石を敷き詰め、加水するためのステンレス容器１と、鉱石を敷き詰め、前記鉱石を半没水または所定量を残して没水するまで加水したステンレス容器１を加熱するために下部に設けた加熱手段２と使用者が横臥するための蓋体であって、加熱手段２により放出したラドンミストを容器１内に保持し、使用者に赤外線、放射線およびマイナスイオンを放射するための複数の檜板からなる蓋体３とを備えたラドンミスト岩盤浴ベッドは、自然界の鉱石として質量比で麦飯石とラジウム鉱石１：３〜３：１の混合物を使用する。【選択図】図１
2017124140.tif 000002
【特許請求の範囲】
【請求項１】
遠赤外線の放出、更には微量のアルファ−線、ベータ線、ガンマ線を含む放射線の放射が認められる自然界の鉱石を敷き詰め、加水するためのステンレス容器と、
前記自然界の鉱石を敷き詰め、前記鉱石を半没水または所定量を残して没水するまで加水したステンレス容器を加熱するために前記ステンレス容器の下部に設けた加熱手段と、
使用者が横臥するための蓋体であって、前記加熱手段により放出した赤外線、放射線およびマイナスイオンを前記ステンレス容器内に保持し、前記使用者に赤外線、放射線およびマイナスイオンを放射するための複数の檜板からなる蓋体とを備えたラドンミスト岩盤浴ベッドであって、
前記自然界の鉱石が質量比で麦飯石とラジウム鉱石１：３〜３：１の混合物であることを特徴とするラドンミスト岩盤浴ベッド。
【請求項２】
前記加熱手段がステンレス製パイプ内に収納されたマイカヒータであることを特徴とする請求項１に記載のラドンミスト岩盤浴ベッド。
【請求項３】
前記蓋体が１０から２０枚の檜板から構成され、前記各檜板を間隙を設けて配置して、前記間隙より赤外線、放射線およびマイナスイオンの放出量の調整を行うことを特徴とする請求項１または請求項２に記載のラドンミスト岩盤浴ベッド。
【請求項４】
さらに、ベッド全体および使用者の身体を覆う気密性の高いシートを備えたことを特徴とする請求項１から請求項３のいずれか１項に記載のラドンミスト岩盤浴ベッド。
【請求項５】
放出されるマイナスイオン量が少なくとも１０，０００個／ｃｍ３であることを特徴とする請求項１から請求項４のいずれか１項に記載のラドンミスト岩盤浴ベッド。
【請求項６】
加水・加温して遠赤外線、微量のアルファ−線、ベータ線、ガンマ線を含む放射線の放射が認められる放射線およびマイナスイオンを放射するラドンミスト岩盤浴用の鉱石組成物であって、麦飯石とラジウム鉱石１：３〜３：１の混合物を含むことを特徴とするラドンミスト岩盤浴用の鉱石組成物。
【発明の詳細な説明】
【技術分野】
【０００１】  本発明は、ラドンミスト岩盤浴ベッドに関する。より詳しく述べると、使用者に対して遠赤外線の放出、更には微量のアルファ−線、ベータ線、ガンマ線等の放射するのと同時に安定量のマイナスイオンを適用するラドンミスト岩盤浴ベッドに関する。本発明は、遠赤外線の放出、更には微量のアルファ−線、ベータ線、ガンマ線等の放射するのと同時に安定量のマイナスイオンを放出することができる鉱石組成物に関する。
【背景技術】
【０００２】  近年、普及が著しい人工の岩盤浴装置が知られている。岩盤浴の原点は、日本国内においては秋田県に難病治癒の湯治場として古くから知られている玉川温泉である。又、国外においてはオ−ストリア中央部、アルプス近くにあるバ−トガスタインのヴィルデンブルク山腹には「奇跡を生む岩盤浴」と言われている放射能泉「ハイルシュトレ−ン坑道浴」が世界的に有名である。いずれも温熱とラジウム鉱石内から浸出する遠赤外線、アルファ−線、ベ−タ線、ガンマ−線等の微量放射線とラドン気体を体内に取り込んでの放射線ホルミシス効果による各種疾患の治癒、あるいは体内免疫力の増進を期して多くの人々が湯治に訪れている。【０００３】  このような背景の元、近年に至り各種人工の岩盤浴装置が商品化されており、又、多くの関連技術が公開されている。これら技術に共通するものは、電気ヒ−タあるいは温水配管等の加温装置の上に遠赤外線または各種放射線を微量放出する鉱石を敷き詰め、人がその上に仰臥することで温熱効果と微量放射線の体内への浸透効果が期待できるというものである。代表的な技術例として、特許文献１から１１が挙げられる。【０００４】  これら従来技術の主張するところは、大きく次の２つに大別される。
一つは特許文献１から特許文献９に記載の通り、鉱石の種類選択と配列及び敷設の工夫により、遠赤外線による人体へのより有効な温熱効果と微量放射線浸透による放射線ホルミシス効果を謳っていること。更には岩盤ベッド上に散水して発生するミストを人体に呼吸吸引させてラジウム温泉地と同様のヒ−リング効果をも期するというものである。【０００５】  もう一つは、特許文献１０、１１代表される人工岩盤装置のコンパクト化技術である。確かに人工岩盤浴装置を商業ベースの観点で考えた場合、都会のビルの部屋内に装置を運び込むにおいて装置のコンパクト化は切実な課題である。更には、特許文献１１に代表される装置設置場所における建築的工事費用を最小化する技術も商業ベース観点からは切実な課題となっている。
【先行技術文献】
【０００６】
【特許文献１】  特開２００９−０５０６４６号公報
【特許文献２】  特開２００７−２６７９０１号公報
【特許文献３】  特開２００７−２０２９２５号公報
【特許文献４】  特開２００７−１８５２０６号公報
【特許文献５】  特開２００７−１１７６８２号公報
【特許文献６】  特開２００６−０８１８７１号公報
【特許文献７】  実用新案登録第３１３９７９号
【特許文献８】  実用新案登録第３１３４５７０号
【特許文献９】  実用新案登録第３１１８６４２号
【特許文献１０】  特開２００６−１８７４４３号公報
【特許文献１１】  実用新案登録第３１１６５５８号
【発明の概要】
【発明が解決しようとする課題】
【０００７】  しかし、特許文献１から特許文献９に記載の技術においては、疾患治癒効果あるいは人体免疫力向上のほどを臨床的検証に基づいて立証しているものは皆無であり、この観点においてこれら技術の主張は結果を伴っていない推論の域を脱していない。又、ラジウム鉱石を加温すれば人体に好影響を及ぼす微量放射線が放出されるという技術論理に基づく人工装置は、玉川温泉等における自然界現象の模倣の域内である。以上の理由により、これら技術が主張する独自の鉱石種類とその敷設方法の組み合わせ及び加温方法により疾患治癒効果と免疫力向上が期待できるという観点においては技術的新進性および新規性は認め難い。【０００８】  また、特許文献１０および特許文献１１の記載の技術は人工岩盤浴装置の設置予定場所への容易な搬送と設置のための給排水工事等の建築的工事の課題が残る。すなわち、特許文献１０および特許文献１１の記載の技術はマンション等に代表される一般住宅に給排水工事を要せずに設置し、専門家ではない使用者が安全にかつ容易に使用できるレベルではない。【０００９】  また、本発明者等の調査によると、このような岩盤浴効果は、いわゆる遠赤外線、各種放射線の放射だけでなく、所定量のマイナスイオンを含んだいわゆるラドンミストを放射することが重要である。
従って、本発明の課題は、遠赤外線、各種放射線の放射に加えて所定量のマイナスイオンを含むラドンミストを一般家庭で一般使用者が容易に使用できるラドンミスト岩盤浴ベッドを提供することである。
【課題を解決するための手段】
【００１０】  上記課題を解決する本発明は、次の各項目に関する。
１．  遠赤外線の放出、更には微量のアルファ−線、ベータ線、ガンマ線を含む放射線の放射が認められる自然界の鉱石を敷き詰め、加水するためのステンレス容器と、
前記自然界の鉱石を敷き詰め、前記鉱石を半没水または所定量を残して没水するまで加水したステンレス容器を加熱するために前記ステンレス容器の下部に設けた加熱手段と、
使用者が横臥するための蓋体であって、前記加熱手段により放出した赤外線、放射線およびマイナスイオンを前記ステンレス容器内に保持し、前記使用者に赤外線、放射線およびマイナスイオンを放射するための複数の檜板からなる蓋体とを備えたラドンミスト岩盤浴ベッドであって、
前記自然界の鉱石が質量比で麦飯石とラジウム鉱石１：３〜３：１の混合物であることを特徴とするラドンミスト岩盤浴ベッド。【００１１】２  前記加熱手段がステンレス製パイプ内に収納されたマイカヒータであることを特徴とする１に記載のラドンミスト岩盤浴ベッド。
３  前記蓋体が１０から２０枚の檜板から構成され、前記各檜板を間隙を設けて配置して、前記間隙より赤外線、放射線およびマイナスイオンの放出量の調整を行うことを特徴とする１または２に記載のラドンミスト岩盤浴ベッド。
４  さらに、ベッド全体および使用者の身体を覆う気密性の高いシートを備えたことを特徴とする１から３のいずれか１項に記載のラドンミスト岩盤浴ベッド。
５  放出されるマイナスイオン量が少なくとも１０，０００個／ｃｍ３であることを特徴とする１から４のいずれか１項に記載のラドンミスト岩盤浴ベッド。【００１２】６  加水・加温して遠赤外線、微量のアルファ−線、ベータ線、ガンマ線を含む放射線の放射が認められる放射線およびマイナスイオンを放射するラドンミスト岩盤浴用の鉱石組成物であって、麦飯石とラジウム鉱石１：３〜３：１の混合物を含むことを特徴とするラドンミスト岩盤浴用の鉱石組成物。
【発明の効果】
【００１３】  本発明は、遠赤外線の放出、更には微量のアルファ−線、ベータ線、ガンマ線を含む放射線の放射が認められる自然界の鉱石を敷き詰め、加水するためのステンレス容器と、
前記自然界の鉱石を敷き詰め、前記鉱石を半没水または所定量を残して没水するまで加水したステンレス容器を加熱するために前記ステンレス容器の下部に設けた加熱手段と、
使用者が横臥するための蓋体であって、前記加熱手段により放出した赤外線、放射線およびマイナスイオンを前記ステンレス容器内に保持し、前記使用者に赤外線、放射線およびマイナスイオンを放射するための複数の檜板からなる蓋体とを備えたラドンミスト岩盤浴ベッドにおいて、前記自然界の鉱石が質量比で麦飯石とラジウム鉱石１：３〜３：１の混合物を使用しているので、適量の遠赤外線の放出、更には微量のアルファ−線、ベータ線、ガンマ線を含む放射線の放射に加えて、適量なマイナスイオンの放射を行うことができる。そのため、従来の岩盤浴ベッドでは実現できなかったラドンミストを使用者に適用することが可能となる。【００１４】  例えば、幅７００ｍｍ×長さ１８００ｍｍ×高さ７５ｍｍのステンレス容器の底部にステンレス製パイプ内に収納されたマイカヒータとすると、水温調整等が容易に行えるので効率的に使用することが可能である。さらに蓋体を１０から２０枚の檜板から構成すると、各檜板を間隙を設けて配置して、前記間隙より赤外線、放射線およびマイナスイオンの放出量の調整を行うことができる。さらに、ベッド全体および使用者の身体を覆う気密性の高いシートを設けると丁度敷布団および掛布団を使用者に適用した状態となり、ラドンミストの拡散を防止し、集中的にラドンミストを使用者に適用可能となる。【００１５】  加水・加温して遠赤外線、微量のアルファ−線、ベータ線、ガンマ線を含む放射線の放射が認められる放射線およびマイナスイオンを放射するラドンミスト岩盤浴用の鉱石組成物であって、麦飯石とラジウム鉱石１：３〜３：１の混合物を半没水または一部を残して粗没水させ、加温するとラドンミストを発生させることができる。このようなラドンミストは、本発明のラドンミスト岩盤浴ベッドに好適に適用可能となる。
【図面の簡単な説明】
【００１６】
【図１】  本発明の第１実施形態に係るラドンミスト岩盤浴ベッドを示す図面であり、（ａ）は斜視図であり、（ｂ）は平面図でありそして（ｃ）は正面図である。
【発明を実施するための形態】
【００１７】  以下、本発明の実施態様を添付図面に基づいて説明する。
なお、本発明でいうラドンミストとは、従来公知の通りラジウム鉱石等から遠赤外線の放出、更にはアルファ線、ベータ線、ガンマー線等が微量放出されるとともに、いわゆるマイナスイオンを少なくとも１０，０００個／ｃｍ３、好ましくは２０，０００個／ｃｍ３以上放出し、なおかつラドンＲｎ２２２を放出する鉱石由来ミストを意味する。
【００１８】  遠赤外線、微量の放射線の放射量は、従来公知のホルミシス効果が発揮できるような量であれば特に限定されず、周知技術であるので詳細説明は省略する。
【００１９】  本発明で使用する用語マイナスイオンとは、空気中に含まれる僅かな電気を帯びた物質（原子、分子、又は分子集団）のことを指し、特に水由来の負帯電物質を意味する。
【００２０】  マイナスイオンは、身体に適用すると、下記のような効果が見込まれる。
１．血液の浄化作用
血液を浄化するとともに、血液の弱アルカリ化を進める。
２．細胞の臓活作用
細胞の新陳代謝を活発にし、筋肉の活性を高め、内蔵を健康にする。
３．抵抗力の増進作用
血液中のガンマグロブリンを増やし、からだの抵抗力・免疫力を高める。
４．自律神経の調整作用
自律神経の機能を向上させ、内分泌作用や造血作用を亢進する。このような自然界が持つこの４つの作用の相乗効果によって、鎮静・催眠・制汗・食欲増進・血圧降下・爽快感・疲労防止・疲労回復など、人の健康を積極的に補助する作用を有している。
【００２１】  本発明者等は、岩盤浴について鋭意検討した結果、遠赤外線、所定量の微量放射線とともにこのマイナスイオン量を調整し、１０，０００個／ｃｍ３、好ましくは２０，０００個／ｃｍ３以上放出する鉱石由来ミストを使用者に適用することにより、両者の相乗効果により（すなわち、本発明でいうラドンミスト効果により）安全にかつ有効に使用者の健康維持・改善に効果を奏することを見出して本発明を創作するに至った。
【００２２】  このような条件を満たすために遠赤外線の放出、更には微量のアルファ−線、ベータ線、ガンマ線を含む放射線の放射が認められる自然界の鉱石として、質量比で麦飯石とラジウム鉱石１：３〜３：１、好ましくは１：２〜２：１、より好ましくは約１：１の混合物を使用することにより初めて実現されることを見出した。以下、このような鉱石を本発明の鉱石という。
【００２３】  ラジウム鉱石は、遠赤外線、微量の放射線源であり、従来公知のラジウム鉱石から選択することができるが、好ましくはバドガースタイン鉱石である。また、ラジウム鉱石のサイズは、特に限定されるものではなく、後述するステンレス容器に敷設する際の高さが３０ｃｍ〜５０ｃｍとなるようなサイズであることが好ましい。
【００２４】  一方、麦飯石は、加水した際に水のクラスタを細かくし、この状態で加温した際にマイナスイオンを発生させる機能を有している。麦飯石とラジウム鉱石の割合を上記の通りとすることにより、遠赤外線量及び微量放射線量を適量範囲内に維持しつつ１０，０００個／ｃｍ３、好ましくは２０，０００個／ｃｍ３以上マイナスイオンを発生することができる。
【００２５】  本発明のラドンミスト岩盤浴ベッドは、以上を前提にして創作された装置であり、図１（ａ）〜（ｃ）に示す通り、本発明の鉱石を敷き詰め、加水するためのステンレス容器１と、ステンレス容器１の下部に設けた加熱手段２と、使用者が横臥するための複数枚の檜板（蓋体）３とから主として構成されている。
【００２６】  図１（ａ）〜（ｃ）に示す実施形態では、ステンレス容器１は、使用者が横臥して使用することを鑑みて通常の施術用別途ないしシングルベッド程度の面積（例えば幅７００ｍｍ、長さ２，０００ｍｍ）とし、そして高さ（深さ）は、本発明の鉱石の投入量（敷詰め量）と効果を加味して、例えば７５ｍｍとする。
【００２７】  ステンレス容器１の下部には図１（ａ）〜（ｃ）に示す通り、加熱手段２として底部にステンレス製パイプ内に収納されたマイカヒータが配置されている。加熱手段２としてのマイカヒータは、絶縁体であるマイカ（雲母）板に発熱体を挟み込んだ平面ヒーターの一種であり、本発明では、長さ方向に配置されるステンレス管内に埋め込んで構成されている。そして、図１（ｃ）に示すセンサー線導入口６から導入された図示しないサーモセンサにより検出された温度（水温）に基づいて、本発明のラドンミスト岩盤浴ベッドの温度（水温）を適温（例えば、４０〜６０℃、好ましくは５０〜６０℃、より好ましくは５３℃〜５７℃）調整する。
【００２８】  その他、ステンレス容器１の一側面の下部には、図１（ｂ）および図１（ｃ）に示す通り、投入した水を抜くためのドレイン４が設けられている。ドレイン４は、本発明の本発明の鉱石を敷き詰め、加水したステンレス容器１から滞留する水を排水するための装置である。そのため、ドレイン４は、容器１の底面近傍の側部に設けることが好ましい。また、ステンレス容器１の一側面には加熱手段２のオン／オフ、加熱温度調整等を行うためのコントロールパネル５、ラドンミスト岩盤浴ベッド（ステンレス容器１）内の水温を測定するための図示しないサーモセンサを導入するためのセンサー線導入口６、ラドンミスト岩盤浴ベッド（ステンレス容器１）内に水を投入するための給水口７等が設けられている。
【００２９】  このように構成した本発明のラドンミスト岩盤浴ベッドは、上述した通り、所定サイズの本発明の鉱石、例えばバドガースタイン鉱石２０ｋｇと麦飯石２０ｋｇの混合物を容器１（例えば、幅７００ｍｍ、長さ１８００ｍｍ、深さ７５ｍｍ）内に敷き詰め所定量の水、例えば５〜７Ｌを加水した後、蓋体３でステンレス容器１の開口部全体を覆い、容器１の底面に配置された加熱手段２により、例えば４０〜６０℃、好ましくは５０〜６０℃、より好ましくは５３℃〜５７℃で加熱を行う構成となっている。
【００３０】  このようにして、加熱すると、遠赤外線や放射線とともに、多量のマイナスイオンおよびラドンを発生するいわゆるラドンミストを発生することを本発明者によってはじめて見出した。
【００３１】  すなわち、本発明の範囲外での鉱石の使用で発生したマイナスイオン量は、５０００個／ｃｍ３程度であったのに対して、本発明のラドンミスト岩盤浴ベッドは、例えば上記の条件で使用した場合には、２１，０００〜２１，３００個／ｃｍ３のマイナスイオンの発生が観察される。すなわち、従来装置と比較して１５，０００個／ｃｍ３程度（または約４倍量）のマイナスイオンの発生が新たに観察される。
【００３２】  このようにして発生した遠赤外線、放射線およびマイナスイオンを使用者に好適に適用するために、本発明の好ましい実施形態において、蓋体として、１０から２０枚の木材、好ましくは檜板を使用する。なお、図１（ａ）には、ステンレス容器１の短手軸両側面を橋渡しする２枚の板材を示しているが、１０から２０枚の檜板によりステンレス容器１を所望により所定の間隙を設けて全体を覆う構成となる。このような木材板を使用することにより、適度な隙間を設けて発生した遠赤外線、放射線およびマイナスイオン量を調整して使用者側へと放出可能となる。
【００３３】  さらに、本発明の好ましい実施形態においては、ベッド全体および使用者の身体を覆う気密性の高いシートを用いる。より具体的には、通気性のよいシート、例えばタオルケット等を蓋体３である檜板の上に敷き、その上に使用者が横臥する。そして、さらに気密性の高いシートを使用者に覆いかぶせる。
【００３４】  このように構成することにより、遠赤外線、放射線およびマイナスイオンおよびラドンを外部に放出させる量を抑制して、本発明のドンミスト岩盤浴ベッドから発生したいわゆるラドンミストを使用者に集中的にかつ効率的に適用可能することができる。
【００３５】  以上説明した本発明のラドンミスト岩盤浴ベッドは、従来公知のラドンミスト岩盤浴ベッドと同様に遠赤外線、放射線を使用者に適用するだけでなく、多量のマイナスイオンも使用者に適用可能である。そのため、遠赤外線効果、ホルミシス効果等の微量放射線効果とともにマイナスイオン効果を使用者に適用することが可能となる。
【００３６】  本発明のラドンミスト岩盤浴ベッドの適用効果は、本発明者の実験によると、肩こり・頭痛（６０分適用）、腰痛（３０分）、重度のうつ病（６０分）、脳梗塞の予後（９０分）、風邪、胃がん・大腸がんの予後（３０分×数回）、肝臓疾患等の多数の症例に見られるように明らかである。また、例えば、温浴療法等により使用者を入浴させることが無いので、使用者の身体に対する負荷も少なく繰り返し使用者に適用が可能である。
【００３７】  以上本発明の実施の形態を説明したが、本発明はこれらの実施形態に限定されることなく幅広く適用可能である。例えば、本発明の鉱石は新規であり、妥当な条件下で遠赤外線、放射線とともにマイナスイオンを発生させる効果がある。従って、本発明はこのような鉱石組成物に拡張される。
【符号の説明】
【００３８】  １    ステンレス容器
２    加熱手段
３    蓋体
４    ドレイン
５    コントロールパネル
６    センサー線導入口
７    給水口
【図１】
2017124140.tif 000003